(57)【要約】【課題】筐体状のホルダに収納されたコイルに対して容易に接着剤を供給することを可能とする対物レンズホルダ等を提供する。【解決手段】本発明のＯＢＬホルダ２１は、対物レンズ３１が固定される固定部が設けられた主面部５６と、ＯＢＬホルダ２１自身を磁気作用によって駆動させるためのトラッキングコイル３６−３９を巻回するボビン５７−６０が設けられた第１側壁部５２および第２側壁部５３とを備えている。本発明では、ボビン５８に設けられた連通孔６３は、第１側壁部５２を貫通して内部と外部とを連通させており、この部分にはフォーカスコイル２９が配置されている。これにより、連通孔６３を経由してフォーカスコイル２９に対して接着剤を供給することが可能となる。【選択図】図４
2013025833.tif 000002
【特許請求の範囲】
【請求項１】
光ピックアップ装置の対物レンズ駆動装置に移動可能に支持され、対物レンズを保持する対物レンズホルダであって、
前記対物レンズが固定される固定部が設けられた主面部と、前記対物レンズホルダ自身を磁気作用によって駆動させるためのトラッキングコイルを巻回するボビンが設けられた側壁部と、前記側壁部の内側でフォーカスコイルが収納される収納領域とを備え、
前記ボビンの内部で、前記側壁部を貫通して前記収納領域と外部とを連通させる連通孔が設けられることを特徴とする対物レンズホルダ。
【請求項２】
前記収納領域は、前記固定部よりも両端側に配置された、第１収納領域および第２収納領域を有し、
前記ボビンの前記連通孔は、前記第１収納領域または第２収納領域と連通する箇所に配置されることを特徴とする請求項１に記載の対物レンズホルダ。
【請求項３】
前記連通孔は、前記フォーカスコイルを挟む位置に複数個配置されることを特徴とする請求項１または請求項２に記載の対物レンズホルダ。
【請求項４】
前記側壁部は、
長手方向の第１側壁部と、前記第１側面に対向する第２側壁部と、短手方向の第３側壁部と、前記第３側壁部に対向する第４側壁部と、を有し、
前記ボビンは、
前記固定部よりも外側の領域で、前記第１側壁部の両側に配置された第１ボビンおよび第２ボビンと、
前記固定部よりも外側の領域で、前記第２側壁部の両側に配置された第３ボビンおよび第４ボビンと、を備え、
前記各ボビンに前記連通孔が設けられることを特徴とする請求項１から請求項３の何れかに記載の対物レンズホルダ。
【請求項５】
前記第１収納領域は前記第３側壁部の内側側面に面する隅部に配置され、前記第２収納領域は前記第４側壁部の内側側面に面する隅部に配置されることを特徴とする請求項４に記載の対物レンズホルダ。
【請求項６】
前記各ボビンは、筒状部と、前記筒状部の外側の端部で全周の外形を拡大させた鍔部とを有し、前記筒状部の内部が前記連通孔であることを特徴とする請求項１から請求項５の何れかに記載の対物レンズホルダ。
【請求項７】
前記ボビンの前記筒状部には、筒状部を厚み方向に貫通した貫通孔が設けられることを特徴とする請求項６に記載の対物レンズホルダ。
【請求項８】
対物レンズを保持する対物レンズホルダがアクチュエータフレームに移動可能に支持される対物レンズ駆動装置であって、
前記対物レンズホルダは、前記対物レンズが固定される固定部が設けられた主面部と、前記対物レンズホルダ自身を磁気作用によって駆動させるためのトラッキングコイルを巻回するボビンが設けられた側壁部と、前記側壁部の内側でフォーカスコイルが収納される収納領域とを備え、
前記ボビンの内部で、前記側壁部を貫通して前記収納領域と外部とを連通させる連通孔が設けられることを特徴とする対物レンズ駆動装置。
【請求項９】
請求項８に記載の対物レンズ駆動装置をハウジングに搭載したことを特徴とする光ピックアップ装置。
【請求項１０】
請求項１から請求項６の何れかに記載の対物レンズホルダを用意する工程と、
前記各ボビンにトラッキングコイルを巻回する工程と、
前記収納領域にフォーカスコイルを収納する工程と、
前記各ボビンの前記連通孔を経由して、前記収納領域に収納された前記フォーカスコイルに接着剤を供給する工程と、
を備えることを特徴とする対物レンズ駆動装置の製造方法。
【発明の詳細な説明】
【技術分野】
【０００１】
本発明は、対物レンズが取り付けられる対物レンズホルダ、対物レンズホルダがアクチュエータフレームに変位可能に支持される対物レンズ駆動装置、および光ピックアップ装置、並びに対物レンズ駆動装置の製造方法に関する。特に、本発明は、内部に収納されるフォーカスコイルに接着剤を供給するための部位を備えた対物レンズホルダ等に関する。
【背景技術】
【０００２】
光ディスクに対して光学的に信号の読み取り、あるいは書き込みを行う光学ヘッドにおける対物レンズ駆動装置においては、対物レンズ（Ｏｂｊｅｃｔｉｖｅ  ｌｅｎｓ）が取り付けられた対物レンズホルダ（以下、ＯＢＬホルダと称する）をアクチュエータフレームに対して変位可能に支持されている。また、ＯＢＬホルダには、フォーカスコイル及びトラッキングコイル、あるいは必要に応じてチルトコイルをＯＢＬホルダに装着すると共に、これらの駆動コイルの有効領域を磁気回路により形成される所定の磁界内に配置することにより各駆動コイルに供給する信号に応じて対物レンズを駆動する構成となっている。
【０００３】
従来から存在する対物レンズ駆動装置の構造は、例えば下記特許文献１に示されている。この文献の図３を参照すると、略矩形の枠状に形成されたコイル保持部２４の内部に、フォーカシングコイル２５およびトラッキングコイル２６が収納されている。そして、フォーカシングコイル２５およびトラッキングコイル２６の磁気作用により、コイル支持部２４を備えた対物レンズ駆動装置８が所定方向に駆動される。
【先行技術文献】
【特許文献】
【０００４】
【特許文献１】特開２００５−３０２１６１号公報
【発明の概要】
【発明が解決しようとする課題】
【０００５】
上記した構成の対物レンズ移動装置では、トラッキングコイルおよびフォーカシングコイルの使用状況下に於ける変形や移動を防止するために、これらのコイルには接着剤が塗布される。
【０００６】
上記特許文献の図３を参照すると、フォーカシングコイル２５に接着剤を塗布する場合、コイル保持部２４の内部にフォーカシングコイル２５を収納した後、コイル保持部２４の内側からフォーカシングコイル２５に対して接着剤を供給する必要があり、この作業が煩雑な問題があった。
【０００７】
更に、特にノートパソコン等のコンパクトな電子機器に適用される光ピックアップ装置の対物レンズ移動装置は非常に小型であるので、上記した作業が更に困難と成る場合があった。
【０００８】
本発明は、上記問題点を鑑みてなされたものであり、本発明の目的は、筐体状のホルダに収納されたコイルに対して容易に接着剤を供給することを可能とする対物レンズホルダ等を提供することにある。
【課題を解決するための手段】
【０００９】
本発明は、光ピックアップ装置の対物レンズ駆動装置に移動可能に支持され、対物レンズを保持する対物レンズホルダであって、前記対物レンズが固定される固定部が設けられた主面部と、前記対物レンズホルダ自身を磁気作用によって駆動させるためのトラッキングコイルを巻回するボビンが設けられた側壁部と、前記側壁部の内側でフォーカスコイルが収納される収納領域とを備え、前記ボビンの内部で、前記側壁部を貫通して前記収納領域と外部とを連通させる連通孔が設けられることを特徴とする。
【００１０】
本発明は、対物レンズを保持する対物レンズホルダがアクチュエータフレームに移動可能に支持される対物レンズ駆動装置であって、前記対物レンズホルダは、前記対物レンズが固定される固定部が設けられた主面部と、前記対物レンズホルダ自身を磁気作用によって駆動させるためのトラッキングコイルを巻回するボビンが設けられた側壁部と、前記側壁部の内側でフォーカスコイルが収納される収納領域とを備え、前記ボビンの内部で、前記側壁部を貫通して前記収納領域と外部とを連通させる連通孔が設けられることを特徴とする。
【００１１】
本発明の光ピックアップ装置は、上記構成の対物レンズ駆動装置をハウジングに搭載したことを特徴とする。
【００１２】
本発明の対物レンズ駆動装置の製造方法は、上記構成の対物レンズホルダを用意する工程と、前記各ボビンにトラッキングコイルを巻回する工程と、前記収納領域にフォーカスコイルを収納する工程と、前記各ボビンの前記連通孔を経由して、前記収納領域に収納された前記フォーカスコイルに接着剤を供給する工程と、を備えることを特徴とする。
【発明の効果】
【００１３】
本発明によれば、トラッキングコイルが巻回されるボビンの内部に、対物レンズホルダの側壁部を貫通して外部と連通する連通孔を設けたので、対物レンズホルダに収納されたトラッキングコイルに対して、この連通孔を経由して容易に接着剤を供給できる。
【００１４】
さらに本発明では、連通孔が設けられたボビンに、ボビン自体に巻回されるトラッキングコイルに接着剤を供給するための貫通孔を設けたので、ボビンに接着剤を供給するのみで、トラッキングコイルおよびフォーカスコイルの両者に対して接着剤を供給することが可能となる。
【図面の簡単な説明】
【００１５】
【図１】本発明の光ピックアップ装置を示す平面図である。
【図２】本発明の対物レンズ駆動装置を示す図であり、（Ａ）は対物レンズ駆動装置を全体的に示す平面図であり、（Ｂ）はアクチュエータ可動部を拡大して示す平面図である。
【図３】本発明の対物レンズホルダを示す図であり、（Ａ）は各種コイル等が組み込まれた状態の対物レンズホルダを示す斜視図であり、（Ｂ）はコイルが組み込まれる前の状態の対物レンズホルダを示す斜視図である。
【図４】本発明の対物レンズホルダを示す図であり、（Ａ）は各種コイル等が組み込まれた状態の対物レンズホルダを示す斜視図であり、（Ｂ）は（Ａ）の断面図であり、（Ｃ）は一部を拡大して示す断面図であり、（Ｄ）は鍔部を示す側面図である。
【図５】本発明の他の形態の対物レンズホルダを示す断面図である。
【図６】本発明の対物レンズ駆動装置の製造方法を示す図であり、（Ａ）はボビンを経由して接着剤を供給する工程を示す斜視図であり、（Ｂ）はその状態を詳細に示す断面図である。
【発明を実施するための形態】
【００１６】
図１から図５を参照して、本発明の実施形態を説明する。まず、図１は本実施形態の光ピックアップ装置１００の概略を示す平面図である。
【００１７】
光ピックアップ装置１００は、一例としてＣＤ（Ｃｏｍｐａｃｔ  Ｄｉｓｃ）規格、ＤＶＤ（Ｄｉｇｉｔａｌ  Ｖｅｒｓａｔｉｌｅ  Ｄｉｓｃ）規格、およびＢＤ（Ｂｌｕ−ｒａｙ  Ｄｉｓｃ）規格の各光ディスクに対応する構成となっており、対物レンズ駆動装置５０および各種光学部品がハウジング５１に設置されて構成されている。光ピックアップ装置の概略的機能は、光ディスクの情報記録層に対して所定の規格のレーザー光を照射し、この情報記録層で反射したレーザー光を受光することで、光ディスクからの情報の読出しまたは書き込みを行うことにある。
【００１８】
対物レンズ駆動装置５０（アクチュエータ）は、対物レンズ（Ｏｂｊｅｃｔｉｖｅ  ｌｅｎｓ）ホルダ（以下、ＯＢＬホルダ）２１を移動可能に保持する。ＯＢＬホルダ２１は、上記した各規格の何れかまたは全てに対応する対物レンズ３１が装着される。
【００１９】
レーザーユニット１はレーザーダイオードを備え、このレーザーダイオードから上記した規格のレーザー光が放射される。具体的には、ＢＤに適した青紫色（青色）波長帯３９５ｎｍ〜４２０ｎｍ（例えば４０５ｎｍの波長）のレーザ光、ＤＶＤに適した赤色波長帯６４５ｎｍ〜６７５ｎｍ（例えば６５０ｎｍの波長）のレーザ光、またはＣＤに適した赤外波長帯７６５ｎｍ〜８０５ｎｍ（例えば７８０ｎｍの波長）のレーザ光が、レーザーダイオードから放射される。
【００２０】
レーザーユニット１から放射されたレーザー光は、回折格子６で０次光、＋１次光、−１次光に分離されてハーフミラー１３で反射された後に、１／４波長板９およびコリメートレンズ１２を通過し、不図示の立ち上げミラーで反射されて対物レンズ３１で光ディスクの情報記録層に合焦される。また、レーザーユニット１から放射されたレーザー光の一部はハーフミラー１３を透過してＦＭＤ２０で検出され、この検出に基づいてレーザーユニット１の出力が調整される。そして、光ディスクの情報記録層で反射した戻り光のレーザー光は、立ち上げミラー、コリメートレンズ１２、１／４波長板９、ハーフミラー１３を透過し、その後、第１プレート１６および第２プレート１９で不要な非点収差が打ち消され、所望の非点収差が付与された後に、光検出器１７（ＰＤＩＣ）で検出される。光検出器１７で検出された信号に基づいて、ＯＢＬホルダ２１のコイルに制御信号が供給され、フォーカスコイル、トラッキングコイル、またはチルトコイルに制御電流が供給される。この結果、フォーカス制御、トラッキング制御及びラジアルチルト制御が行われる。ここで、後述する対物レンズ駆動装置５０の場合、フォーカスコイルがチルトコイルの機能を兼ねており、チルトコイルが省かれている。
【００２１】
ここで、図１に示すＤｔ方向とはタンジェンシャル方向であり、Ｄｒ方向とはトラッキング方向（光ディスクのラジアル方向）であり、Ｄｆ方向とはフォーカス方向である。これらの各方向は互いに直交している。
【００２２】
図２を参照して、上記した光ピックアップ装置に組み込まれる対物レンズ駆動装置５０を説明する。図２（Ａ）は対物レンズ駆動装置５０を示す平面図であり、図２（Ｂ）はアクチュエータ可動部４０を拡大して示す平面図である。
【００２３】
図２（Ａ）を参照して、対物レンズ駆動装置５０（アクチュエータ）は、アクチュエータ可動部４０とアクチュエータフレーム４１とから成る。また、アクチュエータ可動部４０はＯＢＬホルダ２１と、支持ワイヤ４５から構成される。アクチュエータフレーム４１は、珪素鋼板等の磁性金属材料から形成され、部分的に直角に曲折加工されることで、後述するヨークが形成される。
【００２４】
アクチュエータ可動部４０は、支持ワイヤ４５によりアクチュエータフレーム４１に対してフォーカス方向（Ｄｆ方向）、トラッキング方向（Ｄｒ方向）及びラジアルチルト方向（Ｄｒｔ方向）に変位可能に弾性的に支持される。支持ワイヤ４５は、一端がＯＢＬホルダ２１の側壁に固定され、他端がアクチュエータフレーム４１に固定された固定基板４４に固定される。前記固定基板４４は支持ワイヤ４５を制振させるダンパー材が充填される補助部材４３に接着され、該補助部材４３と共にアクチュエータフレーム４１にねじ止め固定される。支持ワイヤ４５は、アクチュエータフレーム４１の１つの側面に対して例えば３本ずつ架設され、アクチュエータ可動部４０を中空状態で機械的に支持すると共に、アクチュエータ可動部４０に備えられる各コイルに供給される電流が流れる接続手段としても機能している。
【００２５】
図２（Ｂ）を参照して、アクチュエータ可動部４０は、ＯＢＬホルダ２１と、ＯＢＬホルダ２１の上面に固定された対物レンズ３１と、ＯＢＬホルダ２１の側壁部の外側の面に巻回されたトラッキングコイル３６−３９と、ＯＢＬホルダ２１に内蔵されたフォーカスコイル２９、３０とを主要に備える。
【００２６】
ＯＢＬホルダ２１の側壁部外側に配置された各トラッキングコイル３６−３９に面するアクチュエータフレーム４１の各ヨークに、マグネット３２−３５が配置されている。各マグネット３２−３５の、各トラッキングコイル３６−３９に対向する面は同一の極性（例えばＮ極）である。また、各マグネット３２−３５は、トラッキングコイル３６−３９の有効領域に対して有効磁束を発生させる。この様な構成でトラッキングコイル３６−３９に電流を供給すると、トラッキングコイル３６−３９に電流が流れることで発生する磁界と、マグネット３２−３５で生成される磁界で形成される磁気回路との協働により、ＯＢＬホルダ２１はＤｔ方向に変位する。
【００２７】
対物レンズ３１を挟む箇所のＯＢＬホルダ２１の内部には、Ｄｆ方向に巻回軸を有する２つのフォーカスコイル２９、３０が配置されており、マグネット３２−３５は、フォーカスコイル２９、３０の有効領域に対しても有効磁束を発生させている。従って、フォーカスコイル２９、３０に対して電流を供給すると、フォーカスコイル２９、３０に電流が流れることで発生する磁界と、マグネット３２−３５で生成される磁界で形成される磁気回路との協働により、ＯＢＬホルダ２１はＤｆ方向に変位する。尚、本形態では、フォーカスコイル２９、３０に、チルト方向に対する制御を行うための制御信号を付与することで、ＯＢＬホルダ２１をチルト方向（Ｄｒｔ方向）に制御している。
【００２８】
バックヨーク４６は、アクチュエータフレーム４１の端部を直角に曲折加工させた部位でありマグネット３２、３３が、内側の側面に固着されている。更に、バックヨークのＤｒ方向の両端部を更に直角に曲折させてサブヨーク４７が形成されている。このような形状のバックヨーク４６およびサブヨーク４７を設けることにより、マグネット３２、３３が生成する有効に作用する有効磁束を強めることができ、マグネット３２、３３の磁力が小さくても、ＯＢＬホルダ２１を所定の方向に変位させることが可能となる。
【００２９】
対向ヨーク４８、４９は、バックヨーク４６等と同様に、アクチュエータフレームを直角に曲折させた部位であり、夫々がフォーカスコイル２９、３０に挿入する位置に設けられている。対向ヨーク４８、４９をこのように配置することで、フォーカスコイル２９、３０及び各トラッキングコイル３６−３９に有効に作用する有効磁束を強めることができ、ＯＢＬホルダ２１のＤｆ方向、Ｄｒ方向及びＤｒｔ方向の感度を向上させるのに有効である。
【００３０】
図３を参照して、上記したアクチュエータ可動部に含まれるＯＢＬホルダ２１の構成を説明する。図３（Ａ）は各コイルが備えられた状態のＯＢＬホルダ２１を示す斜視図であり、図３（Ｂ）はＯＢＬホルダ２１のみを示す斜視図である。
【００３１】
ＯＢＬホルダ２１の概略的形状は、下方に開口部が設けられた筐体形状である。具体的には、ＯＢＬホルダ２１は、対物レンズ３１が装着される円形の開口部が設けられた主面部５６と、主面部５６の周辺部から下方に一体的に連続する４つの側壁部とを備えている。この側壁部としては、紙面上の奥側で長手方向の第１側壁部５２、紙面上の手前側で第１側壁部５２に対向する第２側壁部５３、紙面上で右側に設けられた短手方向の第３側壁部５４、および紙面上で左側端部に設けられた第４側壁部５５が含まれている。第１側壁部５２および第２側壁部５３の主面はＤｔ方向に対して平行であり、第３側壁部５４および第４側壁部５５の主面はＤｒ方向に対して平行である。
【００３２】
第１側壁部５２の外側の主面には、ボビン５７、５８が設けられており、これらのボビンには夫々トラッキングコイル３６、３７が巻回されている。また、第２側壁部５３の外側の主面には、ボビン５９、６０が設けられており、これらのボビンには夫々トラッキングコイル３８、３９が巻回されている。本形態では、各ボビン５７−６０は、Ｄｔ方向において対物レンズ３１よりも外側の端部に配置されている。この理由は、ＯＢＬホルダ２１を、小型の光ピックアップに収納させると、対物レンズ３１の直下に立ち上げミラーが配置されると共に、前記立ち上げミラーへの光路を確保する空間７０をＯＢＬホルダ２１の第１側壁部５２及びあるいは第２側壁部５３の中央から下方の領域に設ける必要があり、この領域にコイル等の部品を収納させるためのマージンが無いからである。
【００３３】
各ボビンに巻回されるトラッキングコイル３６−３９は、１本の細長いエナメル線等の導線から成り、その一端は、第３側壁部５４の一部を突出させた絡げ部６１に絡げられ、他端は第４側壁部５５に設けた絡げ部６１に絡げられる。ここで、各トラッキングコイル３６−３９は、Ｄｒ方向に巻回軸を有し、全体として角を丸めた四角形状を呈するように、ボビン５７−６０に巻回されている。また、トラッキングコイル３６−３９は、ＯＢＬホルダ２１自身を磁気作用によって駆動させるための駆動コイルであり、このような機能は後述するフォーカスコイル２９、３０も同様である。
【００３４】
絡げ部６１は、第３側壁部５４に３つ配置されており、２つはフォーカスコイル２９を構成するエナメル線の両端が夫々絡げられ、１つにはトラッキングコイル３６−３９の端部が絡げられる。同様に、第４側壁部５５にも３つの絡げ部６１が設けられ、２つの絡げ部６１にはフォーカスコイル３０を構成するエナメル線の両端部が絡げられ、１つの絡げ部６１にはトラッキングコイル３６−３９の他の端部が絡げられる。これらの絡げ部に絡げられたエナメル線には、図２（Ａ）に示した支持ワイヤ４５が夫々接続される。
【００３５】
フォーカスコイル２９、３０は、ＯＢＬホルダ２１の内部に収納されている。フォーカスコイル２９は第３側壁部５４側の端部に設けられた収納領域２２に配置さており、フォーカスコイル３０は第４側壁部５５側に設けられた収納領域に配置されている。これにより、フォーカスコイル２９、３０は、Ｄｔ方向に於いて、対物レンズ３１よりも外側に配置されている。フォーカスコイル２９、３０を収納する収納領域２２、２３が、対物レンズ３１の外周端部よりも外側の端部に設けられる理由は、上記したボビン５７−６０を端部に配置する理由と同様である。ここで、平面視での収納領域２２、２３の大きさは、収納されるフォーカスコイル２９、３０と同等か若干大きい程度に設定される。
【００３６】
また、フォーカスコイル２９、３０は、Ｄｆ方向に巻回軸を有し、全体として角を丸めた四角形状を呈するようにエナメル線が巻回されて構成される。ここで、上記したトラッキングコイル３６−３９は、ＯＢＬホルダ２１の一部であるボビン５７−６０に直に巻回される一方、フォーカスコイル２９、３０は巻回された状態で用意され、接着剤を介してＯＢＬホルダ２１の内部に固着される。また、不図示ではあるが、ＯＢＬホルダ２１の内部には、フォーカスコイル２９、３０を所定位置に収納するための突起部が設けられている。
【００３７】
図４を参照して、上記したフォーカスコイルが収納される構成を説明する。図４（Ａ）はＯＢＬホルダ２１を示す斜視図であり、図４（Ｂ）は図４（Ａ）のＢ−Ｂ’線における断面図であり、図４（Ｃ）は１つのボビン５８を拡大して示す断面図であり、図４（Ｄ）は図４（Ａ）にて矢印で示す方向からボビン５８を見た図である。
【００３８】
図４（Ｂ）を参照して、収納領域２２に収納されるフォーカスコイル２９の両側の側面は、第１側壁部５２および第２側壁部５３の内側の主面に当接している。そして、第１側壁部５２のフォーカスコイル２９が接する箇所の外側にボビン５８が設けられており、ボビン５８の内部に配置された連通孔６３は、第１側壁部５２を貫通して、収納領域２２と外部とを連通させている。従って、ボビン５８が設けられた箇所では、フォーカスコイル２９の外側の側面は、連通孔６３から外部に露出する。同様に、第２側壁部５３のフォーカスコイル２９が接する箇所の外側にボビン５９が設けられており、ボビン５９の内部に設けられた連通孔６３は第２側壁部５３を貫通して、収納領域２２と外部とを連通させている。この様な構成は、図４（Ａ）に示す他のボビン５７、６０に関しても同様である。
【００３９】
また、第１側壁部５２から外側に突出する鍔状のボビン５８に、トラッキングコイル３７が巻回されている。同様に、第２側壁部５３から外側に突出する鍔状のボビン５９にトラッキングコイル３８が巻回されている。この様な構成は、ＯＢＬホルダ２１の他端に設けられたボビン５７、６０、トラッキングコイル３６、３９、フォーカスコイル３０に関しても同様である。
【００４０】
また、上記した各トラッキングコイル３６−３９およびフォーカスコイル２９、３０は、エポキシ樹脂等の接着剤が含浸されている。このようにすることで、光ピックアップ装置の使用状況下にて各コイルに磁力が作用しても、この磁力により各コイルを構成するエナメル線が変形することが防止される。更にまた、各トラッキングコイルおよびフォーカスコイルが、接着剤を介してＯＢＬホルダ２１に固着されることで、使用状況下に於ける各コイルの移動や分離が防止される。
【００４１】
図４（Ｃ）を参照して、ボビン５８の構成を説明する。ボビン５８は、第２側壁部５３から外側に突出する円筒状の筒状部６５と、この筒状部６５の外側の端部を円周方向に拡大させた鍔部６６とを有している。ボビン５８を構成する筒状部６５および鍔部６６の厚みは、ＯＢＬホルダ２１の他の部位の厚みと同様である。また、筒状部６５は円形の断面を有する円筒状を呈しているが他の形状でも良く、例えば、紙面上縦方向に長い楕円形または角丸四角形等の断面形状でも良い。
【００４２】
図４（Ｄ）を参照して、鍔部６６の形状はここでは紙面上縦方向に長い角丸長方形を呈しているが、縦方向に長軸を有する楕円形や円形でも良い。また、鍔部６６の縦方向の長さは、トラッキングコイル３８の外形よりも長く設定されている。これにより、トラッキングコイル３８を、鍔部６６の内側に確実に巻回することが可能となる。また、鍔部６６の横方向の幅は、トラッキングコイル３８の外形よりも短くても良い。
【００４３】
トラッキングコイル３８が巻回される部位である筒状部６５は、基本的には円周方向に対して連続して形成されている。これにより、筒状部６５の強度が一定以上に確保されるので、薄い樹脂材料で成形される筒状部６５に、大きな緊張力でトラッキングコイル３８が巻回された場合であっても、この巻回に伴う筒状部６５の変形や破壊が防止される。
【００４４】
また、筒状部６５の全周端部から円周方向に拡大させた鍔部６６が設けられている。このようにすることで、鍔部６６により筒状部６５の先端部が補強され、トラッキングコイル３８を巻回した際に於ける筒状部６５の変形を抑止する効果が大きくなる。更に、光ピックアップ装置の使用状況下に於いても、トラッキングコイル３８の全域が鍔部６６により保持されるので、トラッキングコイル３８がボビン５９から外れることが防止される。ここで、他のボビン５７、５８、６０も、上記したボビン５９と同様の構成を備える。
【００４５】
本形態のＯＢＬホルダ２１では、図４（Ｂ）を参照して、収納領域２２に収納されたフォーカスコイル２９の側面に対応する箇所で、ボビン５８、５９に連通孔６３を設け、この連通孔６３からフォーカスコイル２９を外部に露出している。これにより、製造工程の途中段階で、フォーカスコイル２９に対して、連通孔６３を経由して外部から接着剤を供給することが可能となるので、簡易な方法で接着剤を供給することができる。
【００４６】
また、各ボビン５８、５９は、フォーカスコイル２９を挟むように対称的な位置に配置されており、両ボビン５８、５９から供給された液状の接着剤は、フォーカスコイル２９に対して均等に供給される。従って、接着剤が偏在することが抑制され、ＯＢＬホルダ２１全体としての重量のバランスが良好に保たれる。更に、各ボビン５８、５９の連通孔は、Ｄｔ方向に対して、フォーカスコイル２９の中央部付近に配置されており、このことも、フォーカスコイル２９に対して、接着剤を均等に供給することに寄与している。
【００４７】
更に、本形態のＯＢＬホルダ２１では、筒状部６５の一部を厚み方向に貫通して貫通孔６４を設けている。具体的には、図４（Ｃ）を参照して、筒状部６５の上端部および下端部の２箇所に貫通孔６４を設けている。この貫通孔６４を設けることにより、接着剤を、貫通孔６４を経由してトラッキングコイル３８に供給することが可能となる。貫通孔６４は、トラッキングコイル３８に供給される接着剤が通過できる範囲内で小さく形成されるので、貫通孔６４を設けることによる筒状部６５の機械的強度の低下は抑制されている。
【００４８】
図５を参照して、上記したボビン５９の他の形態を説明する。この図に示すボビン５８では、第１側壁部５２を貫通する連通孔６３は設けられているが、ボビン５８の筒状部６５を貫通する貫通孔６４（図４（Ｃ）参照）は設けられていない。貫通孔６４を排除することにより、筒状部６５の機械的強度が高く確保されるので、トラッキングコイル３８を巻回する際のボビン５９の変形等が抑制される。また、この場合は、フォーカスコイル２９には連通孔６３を経由して接着剤が供給される一方、トラッキングコイル３８には、トラッキングコイル３８の上方または下方から別途に接着剤が供給される。
【００４９】
上記した各図および図６を参照して、次に、上記した構成の対物レンズ駆動装置を製造する方法を説明する。図６（Ａ）はＯＢＬホルダ２１を示す斜視図であり、図６（Ｂ）はボビン５９を経由して接着剤６８を供給する工程を示す断面図である。
【００５０】
先ず、図３（Ｂ）に示すような形状を備えたＯＢＬホルダ２１を用意する。ＯＢＬホルダ２１は、液晶ポリマー（Ｌｉｑｕｉｄ  Ｃｒｙｓｔａｌ  Ｐｏｌｙｍｅｒ）などの樹脂材料を、モールド金型のキャビティに注入することにより形成される。ＯＢＬホルダ２１は、４つの側壁部を有し、第１側壁部５２および第２側壁部５３に、トラッキングコイルを巻回するためのボビンが側壁部と一体で設けられている。
【００５１】
次に、図３（Ａ）を参照して、各ボビン５７−６０にエナメル線を巻回することでトラッキングコイル３６−３９を形成する。トラッキングコイル３６−３９は、１本のエナメル線から成り、ボビン５９、５８、５７、６０の順番で自動化された機械により巻回される。トラッキングコイル３６−３９と成るエナメル線の一端は、第３側壁部５４に設けられた絡げ部６１に絡げられる。また、このエナメル線の他端は、第４側壁部５５に設けられた絡げ部６１に絡げられる。
【００５２】
更に、フォーカスコイル２９、３０をＯＢＬホルダ２１の内部に収納する。具体的には、ＯＢＬホルダ２１の開口する下部からフォーカスコイル２９、３０を、ＯＢＬホルダ２１の内部に収納する。本形態では、ＯＢＬホルダ２１のＤｔ方向に於ける両端部に、収納領域２２、２３が設けられており、各々の収納領域にフォーカスコイル２９、３０が収納される。そして、フォーカスコイル２９を構成するエナメル線の両端を、第３側壁部５４に設けた絡げ部６１に夫々絡げる。また、フォーカスコイル３０を構成するエナメル線の両端部を、第４側壁部５５に設けた絡げ部６１に夫々絡げる。
【００５３】
また、ＯＢＬホルダ２１の主面部５６に設けられた固定部６２には、絶縁性の接着剤を介して対物レンズ３１を固定する。
【００５４】
次に、各コイルにエポキシ樹脂等の接着剤を供給する。具体的には、本形態では、各ボビン５７−６０の連通孔を経由して、各コイルに液状の接着剤を供給する。図６（Ａ）では、接着剤が供給される箇所を白抜きの矢印にて示している。
【００５５】
図６（Ｂ）を参照して、ボビン５９を経由して接着剤を供給する方法を詳述する。上記したように、ボビン５９に設けた連通孔６３は、第２側壁部５３を貫通して内部空間と連通しており、連通孔６３にはフォーカスコイル２９の側面が露出している。従って、連通孔６３に供給された接着剤６８は、フォーカスコイル２９を構成するエナメル線同士の間に含浸される。また、接着剤６８の一部は、第２側壁部５３の内壁とフォーカスコイル２９との間にも進入する。同様に、第１側壁部５２に設けたボビン５８からもフォーカスコイル２９に対して接着剤を供給する。ボビン５８とボビン５９とは、フォーカスコイル２９を挟む位置で対称的に配置されているので、両ボビンから供給された接着剤は、フォーカスコイル２９に対して一様に含浸される。同様に、フォーカスコイル３０に対しても、ボビン５７、６０を経由して接着剤が供給される。
【００５６】
また、連通孔６３に供給された接着剤の一部は、トラッキングコイルにも供給される。具体的には、上記したように、ボビン５９は筒状部６５および鍔部６６から成り、筒状部６５を厚み方向に貫通した貫通孔６４が、筒状部６５の上下端部に設けられている。従って、ボビン５９の連通孔６３に液状の接着剤６８を供給すると、供給された接着剤６８は、貫通孔６４を経由して、鍔部６６と第２側壁部５３に囲まれる空間に浸入する。そして、浸入した接着剤は、トラッキングコイル３８を構成するために幾重にも巻回されたエナメル線同士の間隙に含浸される。接着剤６８をトラッキングコイル３８に供給する上記方法は、他のボビン５７、５８、６０でも同様である。
【００５７】
その後、接着剤６８を硬化させる。接着剤６８が、光線照射や加熱等のエネルギーを付与することで硬化するタイプであれば、エネルギーを接着剤６８に付与する。このようにすることで、フォーカスコイル２９を構成するエナメル線同士が固化され、フォーカスコイル２９が第１側壁部５２、第２側壁部５３および第３側壁部５４に固定される。同様に、フォーカスコイル３０を構成するエナメル線同士が固化され、フォーカスコイル３０が第１側壁部５２、第２側壁部５３および第４側壁部５５に固着される。更に、トラッキングコイル３６−３９の形状が固化されると共に、各トラッキングコイル３６−３９が各ボビン５７−６０に固着される。
【００５８】
上記説明からも明らかなように、ボビン５９に接着剤６８を供給することにより、トラッキングコイル３８およびフォーカスコイル２９の両方に対して、接着剤６８を供給することが可能である。これにより、接着剤６８を供給する工程を簡略化して製造コストが低減される。
【００５９】
上記工程が終了した後は、図２に示すように、ＯＢＬホルダ２１の側面に設けられた絡げ部で、各コイルを支持ワイヤ４５に接続・固定する。これにより、ＯＢＬホルダ２１を含むアクチュエータ可動部４０が、支持ワイヤ４５でアクチュエータフレーム４１に支持され、対物レンズ駆動装置５０が構成される。
【００６０】
更に、図１を参照して、このような構成を有する対物レンズ駆動装置５０を、他の光学素子や電子部品と共に、ハウジング５１に収納させることにより、光ピックアップ装置１００が構成される。
【符号の説明】
【００６１】
１     レーザーユニット
６     回折格子
９     １／４波長板
１２   コリメートレンズ
１３   ハーフミラー
１６   第１プレート
１７   光検出器
１９   第２プレート
２０   ＦＭＤ
２１   ＯＢＬホルダ
２２   収納領域
２３   収納領域
２９   フォーカスコイル
３０   フォーカスコイル
３１   対物レンズ
３２   マグネット
３３   マグネット
３４   マグネット
３５   マグネット
３６   トラッキングコイル
３７   トラッキングコイル
３８   トラッキングコイル
３９   トラッキングコイル
４０   アクチュエータ可動部
４１   アクチュエータフレーム
４３   補助部材
４４   固定基板
４５   支持ワイヤ
４６   バックヨーク
４７   サブヨーク
４８   対向ヨーク
４９   対向ヨーク
５０   対物レンズ駆動装置
５１   ハウジング
５２   第１側壁部
５３   第２側壁部
５４   第３側壁部
５５   第４側壁部
５６   主面部
５７   ボビン
５８   ボビン
５９   ボビン
６０   ボビン
６１   絡げ部
６２   固定部
６３   連通孔
６４   貫通孔
６５   筒状部
６６   鍔部
６７   孔部
６８   接着剤
７０   空間
【図１】
2013025833.tif 000003
【図２】
2013025833.tif 000004
【図３】
2013025833.tif 000005
【図４】
2013025833.tif 000006
【図５】
2013025833.tif 000007
【図６】
2013025833.tif 000008